(57)【要約】【課題】棚に収容したままでも収納物の検索・出し入れを可能にしたボックスファイルを提供する。【解決手段】ボックスファイルの正面に開口部と、その開口部を開閉する扉と、を設ける。【選択図】図８
2019093717.tif 000002
【特許請求の範囲】
【請求項１】
一対の両側面４と、一方の正面２と，その正面２に対向する背面５と、天面３と、底面６と、から成る箱状の本体１０であって、前記正面２に設けた正面開口部２１と、前記天面３に設けた天面開口部３１と、前記両側面４の少なくとも一方の前記正面２側の端部に設けたヒンジ７１と、そのヒンジ７１を介して前記正面開口部２１を開閉する扉７と、を設けたボックスファイル。
【請求項２】
金属線または樹脂でも強度を有する棒状の材を前記正面２に合わせた形に形成した補強材２５と、前記両側面４の前面２側端部の内周又は外周に設けた取付け部２６と、その取付け部２６に前記補強材２５を取りつけた請求項１のボックスファイル。
【請求項３】
少なくとも前記両側面４と前記底面６を一体で形成し、前記背面５に設けた背面開口部５１と、を設けた請求項１のボックスファイル。
【請求項４】
一対の両側面４と、一方の正面２と，その正面２に対向する背面５と、天面３と、底面６と、から成る箱状の本体１０であって、前記正面２に設けた正面開口部２１と、前記両側面４の少なくとも一方の前記正面２側の端部に設けたヒンジ７１と、そのヒンジ７１を介して設けた前記正面２１を開閉する扉７と、前記ヒンジ７１の対向する側の側面４の前面２側端部の上下端部の近傍から背面５方向に向け設けた切り込み部７６と、その切込み部７６により形成される切欠き部７８と、その切欠き部７８の背面５側に設けたヒンジ７５と、そのヒンジ７５を介して前記切欠き部７８を開閉する扉７４と、で成る保存箱兼ボックスファイル。
【請求項５】
箱体の一面の折り畳み構造であって、折り畳み面と接する一方の側面から折線Ａを介して延設した折り畳み面ａと、対向する側の側面から折線Ｂを介して延設した折り畳み面ｂと、前記折り畳み面ａの上辺に折線Ｃを介して延設した折り畳み面ｃと、前記折り畳み面ａにコの字状でそのコの字の両先端を前記折線Ａの反対側に向けた状態で設けた切り込み部９２と、前記コの字の両先端を結ぶ折線９５と、それにより形成される返し部９３と、前記折り畳み面ｂを箱体の内側に向け９０度折った状態で、次に折り畳み面ａを箱体の内側に向け９０度折った状態で，前記折線９５と一致する折り畳み面ｂの位置に前記折線９５と同一の長さ寸法に設けた挿入孔９４と、で成る箱体の一面の折り畳み構造、または、折り畳み面ｃに替えて折り畳み面に接する両側面以外の面から折線Ｄを介して延設した折り畳み面ｄと、更にその折り畳み面ｄから折線Ｅを介して延設した折り畳み面ｅと、で成る箱体の一面の折り畳み構造。
【発明の詳細な説明】
【技術分野】
【０００１】  本発明は、一部をカット又は、切欠きをした箱体で、正面に扉を有する主に文書整理に用いられているボックスファイルに関する。
【背景技術】
【０００２】  ボックスファイルの正面に扉を設け、棚に載置したままで、収納物の検索・出し入れを可能にしたものに特許文献１と、特許文献２がある。【０００３】  しかし、特許文献１は、正面扉を跳ね上げで開閉する物であり、本発明とは構造と作用が全く異なる。【０００４】  特許文献２は、ボックスファイルの上蓋に前蓋を連設したものであり、その上蓋・前蓋を本発明の図８の扉・側面扉と見做し、上蓋側を正面とすれば、一見、本発明の図８に似ている。
しかし、特許文献２は、上蓋と前蓋と係止部とを合算した寸法が、前蓋の折線部から底面までの寸法より短い事を必須としている。
そのため、切欠き部の寸法が制約され、箱体の前後方向の寸法を大きくするほど、あるいは高さを小さくするほど、切欠き部が縮小する。
例えば、高さ２６センチで上蓋が１０センチで係止部が３センチの場合は、２６マイナス１３割る２イコール６．５センチが切欠き部の上限となる。上蓋が１５センチの場合は、４センチとなる。
切欠き部が広いほど収納物の検索・出し入れを容易にするため、切欠き部の縮小により、切欠き部の本来の目的を損なうことになる。【０００５】  対する本発明では高さの２分の１が上限であり、高さ２６センチでは１３センチとなり、特許文献２より２〜３倍広い切欠き部が出来、側面扉を広くし、収納物の検索・出し入れを容易することが可能である。
本発明は、扉・側面扉とも、それぞれ別個のヒンジにより可動するものであり、特許文献２とは構造が異なる。【０００６】  ボックスファイルは、同一分野・同一分類で形状サイズが不揃いな様々な資料でも投げ込むように一つのボックスに収納できる利点がある。
しかし、そのため、雑然とした外見となり、使用しないときや棚に収納する場合は、内部が前面から見えないように面が高い側を表にして置かれている。
棚に収納すると、収納文書の一覧性が無く、表面に収納見出しを全て記載も困難であり、文書を探し出す仕事に時間と労力を要する原因の一つとなっている。
従来のボックスファイルは、開口部が天面のみのため、文書の検索・出し入れが必要な都度、棚から降ろさなければならない。文書は重量があり、高い棚段では危険でもある。
机上にあっても天面に物品を載置して開口部を塞いでいることがあり、載置物を片づける作業が生じる。
【先行技術文献】
【特許文献】
【０００７】
【特許文献１】特開２００８−１７４２９１号公報
【特許文献２】特許２７７６２５４号公報
【発明の概要】
【発明が解決しようとしている課題】
【０００８】  本発明は、棚に収容したままでもワンタッチで収納物を一覧でき、検索・出し入れが迅速に出来るボックスファイルを提供することを目的とする。
【課題を解決するための手段】
【０００９】  本発明以上の課題を果たすため、次の手段を講じる。
一対の両側面４と、一方の正面２と，その正面２に対向する背面５と、天面３と、底面６と、から成る箱状の本体１０であって、前記正面２に設けた正面開口部２１と、前記天面３に設けた天面開口部３１と、前記両側面４の少なくとも一方の前記正面２側の端部に設けたヒンジ７１と、そのヒンジ７１を介して前記正面開口部２１を開閉する扉７と、を設ける。
或いは、金属線または樹脂でも強度を有する棒状の材を前記正面２に合わせた形に形成した補強材２５と、前記両側面４の前面２側端部の内周又は外周に設けた取付け部２６と、その取付け部２６に前記補強材２５を取りつける。
或いは、少なくとも前記両側面４と前記底面６を一体で形成し、前記背面５に設けた背面開口部５１と、を設ける。
或いは、一対の両側面４と、一方の正面２と，その正面２に対向する背面５と、天面３と、底面６と、から成る箱状の本体１０であって、前記正面２に設けた正面開口部２１と、前記両側面４の少なくとも一方の前記正面２側の端部に設けたヒンジ７１と、そのヒンジ７１を介して設けた前記正面２１を開閉する扉７と、前記ヒンジ７１の対向する側の側面４の前面２側端部の上下端部の近傍から背面５方向に向け設けた切り込み部７６と、その切込み部７６により形成される切欠き部７８と、その切欠き部７８の背面５側に設けたヒンジ７５と、そのヒンジ７５を介して前記切欠き部７８を開閉する扉７４と、で成る保存箱兼ボックスファイルにする。
或いは、  箱体の一面の折り畳み構造であって、折り畳み面と接する一方の側面から折線Ａを介して延設した折り畳み面ａと、対向する側の側面から折線Ｂを介して延設した折り畳み面ｂと、前記折り畳み面ａの上辺に折線Ｃを介して延設した折り畳み面ｃと、前記折り畳み面ａにコの字状でそのコの字の両先端を前記折線Ａの反対側に向けた状態で設けた切り込み部９２と、前記コの字の両先端を結ぶ折線９５と、それにより形成される返し部９３と、前記折り畳み面ｂを箱体の内側に向け９０度折った状態で、次に折り畳み面ａを箱体の内側に向け９０度折った状態で，前記折線９５と一致する折り畳み面ｂの位置に前記折線９５と同一の長さ寸法に設けた挿入孔９４と、で成る箱体の一面の折り畳み構造、または、折り畳み面ｃに替えて折り畳み面に接する両側面以外の面から折線Ｄを介して延設した折り畳み面ｄと、更にその折り畳み面ｄから折線Ｅを介して延設した折り畳み面ｅと、で成る箱体の一面の折り畳み構造にする。
【発明の効果】
【００１０】  正面の扉を開くことで、収納物が即一覧できて検索が容易になり、出し入れもそのままで出来て、探す時間を減らしビジネスの効率を上げられる。
【図面の簡単な説明】
【００１１】
【図１】正面開口部にリブを設けた斜視図と正面図及び断面図
【図２】図１の展開図
【図３】背面を折り畳み構造にした斜視図と展開図
【図４】正面に補強材を取りつけた斜視図
【図５】図４の展開図
【図６】天面部分開口部と、背面を折り畳み構造にした斜視図と展開図
【図７】背面・天面・正面を全域開口にした斜視図と展開図
【図８】保存箱兼ボックスファイルの斜視図
【図９】保存箱の状態を示す（ａ）は、斜視図（ｂ）は、展開図
【図１０】無接着の保存箱兼ボックスファイルを示す（ａ）と（ｂ）は、斜視図（ｃ）は、展開図
【図１１】箱体の一面の折り畳み構造を示す断面図
【図１２】扉の開閉の節度機能を示す（ａ）（ｂ）は、斜視図（ｃ）は、展開図（ｄ）は断面図
【図１３】効果の例を示す（ａ）と（ｂ）は、斜視図（ｃ）は、正面図
【発明を実施するための形態】
【００１２】  図１により説明する。（ａ）は，斜視図であり、（ｂ）は、正面図であり、（ｃ）は、（ｂ）のＡ−Ａ断面図である。箱状の本体１０は、平面視長方形で、一対の長手の両側面４と、短手の一方の正面２と、対向する短手の一方の背面５と、天面３と、底面６と、扉７と、で構成する。
素材は、硬質紙・樹脂シート・段ボールなどで成形する。又は樹脂で一体成形してもよい。鉄板をプレスしたもの或いはそれに樹脂コーテイングや紙で覆ってもよい。
【００１３】  扉７の構造は、両側面４の少なくとも一方の側面の正面２側の端部にヒンジ７１を介して，正面２を開閉する扉７を設ける。
扉７は正面２の全域を覆う寸法にし、見出しとして使用できる。
扉７を係止する手段は、公知の係止方法でよい。例として、図１と図２では正面リブ２２の上下に磁石８１を取りつけ、扉７の上下に鉄片８２を取りつける。その磁石８１に替えて、図１１に示すとおり、扉７の下端が本体１０の設置面１０１に当接するようにして、その摩擦を利用して扉７の動きを抑える方法でもよい。
磁石８１の他、例えば面ファスナー・フック・紐留め・ホックや本体１０の部材同士の組み合わせるインターロックと言われる係止構造などがある。
【００１４】  天面３に設けた天面開口部３１と、正面２に正面開口部２１を設け、その正面開口部２１の周囲を補強する正面リブ２２を設ける。
正面開口部２１の形状は、強度のある材質であれば四角でもよいが、硬質紙や樹脂シートの場合は、上方と下方をアーチ状２４にすることで応力が分散し強度を維持できる。
正面リブ２２は、折線を介して両側面４に延伸し，図２のとおり折線を介し底面６の折り畳み部材６ｄに延伸しており、硬質紙や樹脂シートの場合、横断面視Ｌ字状の形となって強度を維持する。
図１の（ｃ）Ａ−Ａ断面図のとおり、硬質紙や樹脂シートで形成する場合、正面リブ２２に正面リブ２２ａを貼り合わせる、これにより正面リブ２２が二枚の貼り合わせとなり強度を高められる。
正面リブ２２の形状に合わせた補強材を正面開口部２１の周囲に貼付けてもよい。
正面開口部２１の中央の高さｈは、収納文書が取り出せる高さにする。
本体１０内の左右の端に収納した文書は、正面開口部２１のアーチ状２４と正面材２２により一部見えなくなり取り出しにくいが中央の文書を一部取り出せば解決し、用済み後戻せばよい。
正面リブ２２の下部は、収納物の飛び出しを防ぐ役割も果たす。
以上により、従来の天面開口部３１に併せ正面開口部も文書の検索・出し入れが可能となる。
【００１５】  図２は図１の展開図である。点線は折れ線である。
折り返し部１１は、夫々内側に折り返して固着する。
底面６は公知の折り畳み部材６ａ〜６ｄを、折り線により内側に９０度折り曲げ、組み合わせて底面を形成する。
以下、公知の構造は公知である旨記載し説明は省略する。また、以降で、以上と同一の構成部分は、以上によるとして説明を簡略又は省略する。
【００１６】  図３は、背面５を折り畳み構造にしたものである。
図３（ａ）は、折り畳みを組立てた状態を示す斜視図であり、（ｂ）は、折り畳み構造を示す斜視図であり、（ｃ）は展開図である。
本体１０を、天面３から背面５にかけて斜めのカットと、正面開口部２１により収納物の検索・出し入れを容易にしたものである。
折り畳み方法は、背面５と正面２を菱形に変形させ、全体に上下方向に折り畳むことになる。
参考までに、一般の底面６の折り畳み構造の場合は、天面３と底面６を菱形に変形させ、前後方向に折り畳む方式である。
図３（ｃ）展開図のとおり、底面６を中心に折線を介して両側面４と、折線Ｄを介して背面５ｃとその背面５ｃから折線を介して背面５ｄを設ける。
一方の側面４の背面５側端部に折線を介して背面５ａを設け、対向する一方の側面４の背面５側端部に折線を介して背面５ｂを設ける。
背面５ａの略中央に、コの字状で、そのコの字の両先端を折線Ａと反対側に向けた切り込み９２を設ける。コの字の両先端を結ぶ折り線９５を設けることで返し部９３が形成される。
両側面４を、折り線により底面６ａに対し直角に立ち上げ、背面５ｂを折り線により前面側に直角に折った状態にし、次に背面５ａを折り線により前面側に直角に折った状態で、折り線９５と一致する背面５ｂの位置に折り線９５と同一寸法の長孔の挿入部９４を設ける。
背面５の組立て方法は、両側面４を折り線により直角に折り、背面５ｂを内側に直角に折り、背面５ａを折り線により内側に折りながら返し部９３を挿入部９４に入れる。次いで背面５ｃを折り線により上側に直角に折り、次いで背面５ｄを折り線により下向きに折り本体１０の内側に押し込み、突起部５２を係止穴５３に挿入する。
以上の背面５の折り畳み構造により、接着面を全廃しても箱体組立てが可能である。
折り畳み面を、荷重の少ない背面５に替え、底面６が両側面４に延設することで、底抜けの恐れを無くした。
背面５が、背面ａ〜ｄの４枚で構成することで強度が増し、本体１０全体の強度を上げられ、正面２を囲む面まで強化され、補強材２５を廃することができる。
両側面４の前面側２の上端に連結部３３ａと３３ｂをそれぞれ設け、それを貼り合わせ又は、かぎ型に組み合わせ、あるいは面ファスナーで連結することで内部からの圧力を受け止められる。
【００１７】  図４は、（ａ）（ｂ）とも斜視図であり、金属線又はプラスチックあるいは圧縮接着した厚紙などの強靭な材により、断面視円形で、正面２の形状に合わせロの字状に形成した棒状の補強材２５を両側面４の正面２側の端部の上方と下方に設けた取付け部２６に取り付けたものである。それにより、正面開口部２１を補強できる。
取付け部２６をヒンジ状にして棒状の補強材２５を可動にすれば、本体１０を、折り畳みを可能にできる。
樹脂シートや段ボール・厚紙などで形成する場合の取付け部２６は、両側面４から延伸させ、正面開口部２１の内側に、あるいは外側に向けて円筒状に巻き込み、棒状の補強材２５を包み込むようにさせて両側面４に接着させる。
取付け部２６に棒状の補強材２５を取り付ける工程が製造上困難な場合は、ロの字状の棒状の補強材２５の長手方向をコの字状に２分割し、上方の取付け部２６の上端からと、下方の取付け部２６の下端からそれぞれ挿入し、接手パイプにより結合する方法でもよい。
外扉７２、と内扉７３は、上方の取付け部２６と下方の取付け部２６の間に両側面４から前方に延伸させて一方を外扉７２にし、対向する側の一方を内扉７３とし、折り返し部１１を接着して完成する。
図４（ｂ）は、棒状の補強材の下辺に、底面組立て部材６ｄを回動可能に取り付けた状態を示し、これにより底面６が折り畳み可能になる。
図５は図４の展開図である。
【００１８】  図６は、背面５を折り畳み構造５ａ〜５ｄにし、底面６は両側面４と連接し底抜けの恐れを無くした。
天面３の正面２側の端部に、切り欠き状の天面開口部３１を設け，正面２を正面開口部２１にし、両側面４の少なくとも一方の側面の正面２側の端部に設けたヒンジ７１を介して扉７を設ける。天面開口部３１と正面開口部２１が一体の開口となり、天面開口部３１から収納物の概要が把握でき、収納物に指をかけられることで、収納文書の検索・出し入れがしやすくなる。天面３が、正面開口部２１の強度を支える程度に天面開口部３１のサイズを設定する。
扉７を係止するため、磁石８１を、折り返し部１１で挟み、中に封入させ、切り欠き部８３から一方の磁極を表出させて側面４に貼る。又は、図４の様に内扉７３を設けて磁石８１を取付けてもよい。その他、面ファスナー・閉じ紐など公知の係止構造を用いてもよい。
【００１９】  図７は、（ａ）と（ｂ）が斜視図であり、（ｃ）が展開図である。
両側面４と底面６を、金属板など強度のある材でコの字状材に一体形成し、両側面４の正面２側端部に外扉７２と内扉７３を設けたものである。正面開口部２１と天面開口部３１と背面開口部５１が一体で開口になり収納物のサイズ形状の制約が少なくなり、利用範囲が広がる。
外扉７２と内扉７３は特に堅牢な材でなく、硬質紙・樹脂シートなどでもよい。
又は、樹脂で一体形成する場合は、両側面４から薄肉ヒンジを介して外扉７２と内扉７３を設けてもよい。
金属の硬質な材が、本体１０の設置面を傷つけないよう、全体を紙で覆ってもよい。又は樹脂をコーテイングしてもよい。あるいは、底面にフエルト又は樹脂を敷いてもよい。
前記コの字状材を、本体１０の寸法より、前後と上下方向を小さく形成し、コの字状の両端を両側面４に、中央部を底面面６に合わせ、紙又は樹脂で形成した本体１０の中にサンドイッチ状に封じ込むことで補強材として用いてもよい。
【００２０】  図８は、ボックスファイルと保存箱を兼ねるものである。
図８（ａ）（ｂ）のいずれも斜視図である。
（ａ）は、本体１０を棚などに載置した場合に扉７を開け、収納物の検索・出し入れをする状態である。正面２を正面開口部２１にし、一方の側面４の正面２側端部にヒンジ７１を介して扉７を設ける。
（ｂ）は、背面５を下にして机上に載置した場合に扉７と、側面扉７４を開け、収納物の検索・出し入れをする状態である。
扉７と対向する側面４の正面２側端部の上下両端近傍から背面５側に向けて切り込み７６を前後方向の略中央近傍まで入れる。それにより切欠き部７８を形成する。切欠き部７８の背面５側にヒンジ７５を設ける。そのヒンジに７５に切欠き部を開閉する側面扉７４を設ける。
なお、切欠き部の形状は梯形・四角・半円などヒンジ７５が設けられれば自由である。
【００２１】  図９（ａ）は、背面５を下にして扉７と側面扉７４を係止した状態であり、全ての面を閉じ埃を防ぐ保存箱の状態を示す。
扉７と側面扉７４を係止する手段８は、公知の手段で良い。例としてインターロック式と言われる公知の係止手段を図示し、公知のため構造説明は省略する。
図９（ｂ）は、展開図であり、背面５は、公知のアメリカ式と言われる組立て構造である。
【００２２】  図１０は、（ａ）と（ｂ）は、底面側から見た斜視図であり、（ｃ）は、展開図である。
本体１０の１面を開口にし、２面を組立て構造にして接着工程が無く、裁断のみでも完  成品にできるものである。
背面５を公知の折り畳み構造にする。例としてアメリカ式と言われる折り畳み構造５ａ〜５ｄを図示した。
底面６ｂから折線を介して延伸させて設けた背面５ｄの、その折線の略中央に底面６ｃの突起部９６と嵌合する係止孔９７を設ける。
一方の側面４の底面６側端部に折線を介して延伸させて底面６ａを設け、対向する一方の側面４の底面６側端部に折線を介して延伸させ底面６ｂを設ける。
底面６ａの前面２側端部に折線を介して延伸させ底面６ｃを設け、その折線と対向する側の端部の略中央に突起部を設ける。
背面６ａの略中央に、コの字状で、そのコの字の両先端を折線Ａの反対側に向けた切り込み９２を設ける。コの字の両先端を結ぶ折り線９５を設けることで返し部９３が形成される。
底面６ｂを折り線により前面側に直角に折った状態にし、次に底面６ａを折り線により前面側に直角に折った状態で折り線９５と一致する底面６ｂの位置に折り線９５と同一寸法の挿入部９４を設ける。
組立て方は、まず、背面５をアメリカ式で組立て、次いで底面６ｂを内側に折り、次に底面６ａを内側に折りながら返し部９３を挿入部９４に挿入する。次に底面６ｃを内側に折り、突起部９６を係止穴９７にはめて底面６が完成となる。
【００２３】  図１１は、箱体の一面の折り畳み構造を組み立てた状態を示し、（ａ）は、図３の背面の断面図であり、段落番号００１６に組み立て方が詳述されている。
（ｂ）は、図１０の底面６の断面図であり、段落番号００２２に組み立て方が詳述されている。
返し部９３が、釣り針の「返し」と同じ作用をし、本体１０の内部からの圧力を受け止める役割を果たす。
（ａ）の背面５ｄと、（ｂ）の底面６ｃは、両側面の内側と密接する寸法にすることで、外部からの圧力を受け止められる。
なお、（ａ）（ｂ）とも一般の箱体に適用できる構造である。
【００２４】  図１２は、扉７の開閉に節度を持たせ、扉７の閉じた状態を維持する構造である。
図１２の（ａ）は全体の斜視図である。（ｂ）（ｃ）（ｄ）は、（ａ）の点線の円内を説明するものである。（ｂ）は、係止部の斜視図である。（ｃ）は、フラップ部の展開図である。（ｄ）は、突起部の断面図である。
扉７のヒンジと対向する側の端部で上下方向の略中央にフラップを設ける。
フラップの略中央に突起部を設ける。
側面扉７ａの正面側端部の上下方向の略中央に係止穴を設ける。
フラップを係止穴に挿入した状態で、突起部と一致する位置の側面扉に突起部が嵌合する留め孔を設ける。
フラップの略中央にコの字状の切り込みを入れる。コの字の両先端を結ぶ折線を設ける。
その折線側に押して盛り上げ、三角屋根状又は、かまぼこ状の突起部を形成する。
フラップの裏打ち面に、突起部と一致する位置に突起部を下支えするため、突起部の形状に合わせＶ字あるいはＵ字状の切り込みを入れる。そのＶ字あるいはＵ字の両端を結ぶ折線を設け下支え部を形成する。
下支え部を折り線により直角に立ち上げ、裏打ち部をフラップに貼り付ける。
【００２５】  図１３は、効果の例を示す斜視図である。
（ａ）は、従来のボックスファイル１を書類の検索・収納のため、ボックスファイル１を棚Ｔから上げ降ろしをしなければならない状態Ｗを示す。
（ｂ）は、本発明のボックスファイル１は、棚Ｔに収容したままで扉７を開いた状態を示し、書類を収納する場合は、ボックスファイルを降ろさずに収納できる。
検索する場合は、複数のボックスファイルの扉を開き、収納した文書を一覧できる。
例えばＡボックスファイルにあると思っていた文書が、Ｇボックスファイルに入っていることを一目で確認でき、文書を探す時間と労力を少なくできる。
従来は、Ａ〜Ｇまで７回上げ降ろしをすることになる。本発明は上げ下ろし不要である。
（ｃ）は、扉７による本体１０の転倒を防止する状態を示す正面図である。図４と図８に示す外扉７２と内扉７３を開くことで、扉７の下端の転倒防止部１００が平面１０１に当接することで安定して直立を保持できる。
扉７が片側のみの場合は、扉７が無い側に転倒することを防止するため、側面材４や底面６の一部を平面１０１側に突出させて転倒を防止する公知の発明たとえば特開２００３−０１１５６３があり、ヒンジ７１と対向する側に用いてもよい。
本体１０が決まった一方に傾く癖がある構造の場合は、傾く側に扉７を設けてもよい。
以上により単独で机上に置く場合、倒れることなく片手で書類の出し入れが可能となる。
【００２６】以上の記載の中で、本体１０を折り畳み可能にする構造を図示した場合でも、折り畳み構造を廃し樹脂などで一体形成しても良い。
【産業上の利用可能性】
【００２７】  ビジネスで、物を探すムダな時間と労力を削減し、能率向上に寄与できる。
【符号の説明】
【００２８】１ボックスファイル  １０本体  １１折り返し部
２正面  ２１正面開口部  ２２正面リブ  ２４アーチ状部  ｈ正面開口部高さ
２５棒状補強材  ２６取付け部
３天面  ３１天面開口部  ３２天面部分開口部  ３３ａ連結部ａ  ３３ｂ連結部ｂ
４側面
５背面  ５１背面開口部
６底面
７扉    ７１ヒンジ  ７２外扉  ７３内扉  ７４側面扉  ７５側面扉用ヒンジ
８係止部  ８０扉フラップ  ８１磁石    ８２鉄片    ８３切り欠き部  ８４扉係止舌片          ８５突起部  ８６突起支持部  ８７突起挿入孔
９折り畳み部  ９２コの字状の切り込み  ９３返し部  ９４返し挿入孔
１００  転倒防止部  １０１平面
Ｔ  棚
Ｗ  検索
【図１】
2019093717.tif 000003
【図２】
2019093717.tif 000004
【図３】
2019093717.tif 000005
【図４】
2019093717.tif 000006
【図５】
2019093717.tif 000007
【図６】
2019093717.tif 000008
【図７】
2019093717.tif 000009
【図８】
2019093717.tif 000010
【図９】
2019093717.tif 000011
【図１０】
2019093717.tif 000012
【図１１】
2019093717.tif 000013
【図１２】
2019093717.tif 000014
【図１３】
2019093717.tif 000015